(57)【要約】【課題】冷却効率を向上できるとともに冷気の流通抵抗を低減できる冷蔵庫を提供する。【解決手段】出し入れ自在の収納ケース３０が配される貯蔵室３と、貯蔵室３の背面上部に配されて冷気を吐出する吐出口３ｅ、３ｆと、貯蔵室３の背面下部に形成された前方が下がる第１傾斜面４１と、第１傾斜面４１に開口して冷気が流出する戻り口３ｇと、第１傾斜面４１から前方に延びて戻り口３ｇの上方を覆う遮蔽部４３とを備えた。【選択図】図３
2011064341.tif 000002
【特許請求の範囲】
【請求項１】
出し入れ自在の収納ケースが配される貯蔵室と、前記貯蔵室の背面上部に配されて冷気を吐出する吐出口と、前記貯蔵室の背面下部に形成された前方が下がる第１傾斜面と、第１傾斜面に開口して冷気が流出する戻り口と、第１傾斜面から前方に延びて前記戻り口の上方を覆う遮蔽部とを備えたことを特徴とする冷蔵庫。
【請求項２】
前記戻り口が複数の前記遮蔽部により上下に仕切られ、一の前記遮蔽部の前端が下方に隣接する前記遮蔽部の後端よりも前方に配されることを特徴とする請求項１に記載の冷蔵庫。
【請求項３】
第１傾斜面の前端に連続して後方が下がる第２傾斜面を有し、前記戻り口が第１傾斜面に加えて第２傾斜面にも開口することを特徴とする請求項１または請求項２に記載の冷蔵庫。
【請求項４】
前記遮蔽部は前方が下方に傾斜することを特徴とする請求項１〜請求項３のいずれかに記載の冷蔵庫。
【請求項５】
前記貯蔵室が貯蔵物を冷凍保存する冷凍室から成るとともに前記冷凍室の背後に配される冷却器を備え、前記戻り口が前記冷却器の下部に面して設けられることを特徴とする請求項１〜請求項４のいずれかに記載の冷蔵庫。
【発明の詳細な説明】
【技術分野】
【０００１】
本発明は、貯蔵物を収納する収納ケースを配した貯蔵室の背面に冷気の吐出口及び戻り口を開口する冷蔵庫に関する。
【背景技術】
【０００２】
従来の冷蔵庫は特許文献１に開示されている。この冷蔵庫は冷凍室内に貯蔵物を収納する出し入れ自在の収納ケースを備えている。冷凍室の背後には冷気を生成する冷却器が配された冷気通路が設けられる。冷気通路には収納ケースの上面開口部に向けて冷気を吐出する吐出口が設けられる。冷凍室の下部には冷気が流出する戻り口が冷却器に面して設けられる。
【０００３】
冷却器と熱交換して生成される冷気は吐出口から収納ケースに向けて吐出され、収納ケース内を流通する。収納ケース内を流通した冷気は収納ケースの前方から流出し、収納ケースの前方及び下方を流通して戻り口から冷気通路内の冷却器に戻る。これにより、冷凍室に配された収納ケース内の貯蔵物が冷却される。また、戻り口が冷却器に面して設けられるため、冷気通路を流通する冷気の流路長を短縮して流通抵抗を低減することができる。
【先行技術文献】
【特許文献】
【０００４】
【特許文献１】特開２００９−１３９０８８号公報（第４頁−第９頁、第１図）
【発明の概要】
【発明が解決しようとする課題】
【０００５】
しかしながら、上記従来の冷蔵庫によると、吐出口から吐出された冷気の一部が収納ケースの後方に漏れる場合がある。これにより、冷凍室の背面と収納ケースとの間を流下する冷気が戻り口から流出してショートサーキットが生じ、冷蔵庫の冷却効率が低下する問題があった。
【０００６】
また、戻り口が貯蔵室の背面の限られたスペースに設けられるため戻り口の開口面積が狭くなり、冷気の流路抵抗が大きくなる問題もあった。特に、冷却器に面して戻り口が設けられるので、戻り口を上下方向に大きくすると冷却器と冷気との熱交換距離が短くなる。このため、戻り口を上下方向に狭く形成する必要があり、戻り口の開口面積がより狭くなる。
【０００７】
本発明は、冷却効率を向上できるとともに冷気の流通抵抗を低減できる冷蔵庫を提供することを目的とする。
【課題を解決するための手段】
【０００８】
上記目的を達成するために本発明は、出し入れ自在の収納ケースが配される貯蔵室と、前記貯蔵室の背面上部に配されて冷気を吐出する吐出口と、前記貯蔵室の背面下部に形成された前方が下がる第１傾斜面と、第１傾斜面に開口して冷気が流出する戻り口と、第１傾斜面から前方に延びて前記戻り口の上方を覆う遮蔽部とを備えたことを特徴としている。
【０００９】
この構成によると、貯蔵室内に吐出口から吐出される冷気は収納ケース内や収納ケース上を流通し、収納ケースの前方及び下方を流通して戻り口から流出する。戻り口は貯蔵室の背面に設けた第１傾斜面に開口し、大きな開口面積を有する。戻り口は遮蔽部により上方を覆われるため、戻り口よりも上方の冷気の吸引が抑制される。これにより、吐出口から吐出して貯蔵室の背面と収納ケースとの間を流下する冷気を少なくすることができる。
【００１０】
また本発明は、上記構成の冷蔵庫において、前記戻り口が複数の前記遮蔽部により上下に仕切られ、一の前記遮蔽部の前端が下方に隣接する前記遮蔽部の後端よりも前方に配されることを特徴としている。この構成によると、上方から見て戻り口が露出しないため、貯蔵室の背面と収納ケースとの間を流下する冷気を容易に少なくすることができる。
【００１１】
また本発明は、上記構成の冷蔵庫において、第１傾斜面の前端に連続して後方が下がる第２傾斜面を有し、前記戻り口が第１傾斜面に加えて第２傾斜面にも開口することを特徴としている。この構成によると、戻り口は貯蔵室の背面に設けた第１、第２傾斜面に開口し、開口面積がより大きくなる。
【００１２】
また本発明は、上記構成の冷蔵庫において、前記遮蔽部は前方が下方に傾斜することを特徴としている。
【００１３】
また本発明は、上記構成の冷蔵庫において、前記貯蔵室が貯蔵物を冷凍保存する冷凍室から成るとともに前記冷凍室の背後に配される冷却器を備え、前記戻り口が前記冷却器の下部に面して設けられることを特徴としている。
【発明の効果】
【００１４】
本発明によると、収納ケースが配される貯蔵室の背面上部に吐出口を開口し、遮蔽部により上方が覆われる戻り口を貯蔵室の背面下部に形成した第１傾斜面に開口したので、遮蔽部によって吐出口から吐出して貯蔵室の背面と収納ケースとの間を流下する冷気を少なくすることができる。従って、冷気のショートサーキットを低減して冷蔵庫の冷却効率を向上できるとともに、戻り口の開口面積を大きくして冷気の流通抵抗を低減することができる。
【図面の簡単な説明】
【００１５】
【図１】本発明の実施形態の冷蔵庫を示す正面図
【図２】本発明の実施形態の冷蔵庫を示す正面断面図
【図３】本発明の実施形態の冷蔵庫の冷凍室を示す側面断面図
【図４】本発明の実施形態の冷蔵庫の冷凍室の戻り口を示す斜視図
【図５】本発明の実施形態の冷蔵庫の冷凍室の戻り口を示す側面断面図
【発明を実施するための形態】
【００１６】
以下に本発明の実施形態を図面を参照して説明する。図１は一実施形態の冷蔵庫を示す正面図である。冷蔵庫１の上部には貯蔵物を冷蔵保存して扉２ａ、２ｂにより開閉される冷蔵室２が配される。冷蔵室２の下部には上部に対して隔離された隔離室から成るタンク室１２、小物収納室１３、チルド室１４が設けられる。タンク室１２は製氷用の水タンク１０を収納する。小物収納室１３は卵等の小さい貯蔵物を収納する。チルド室１４は冷蔵室２の上部よりも低温に維持される。
【００１７】
冷蔵室３の下方には断熱壁７を介して冷凍室３及び製氷室５が配される。製氷室５は扉５ａにより開閉され、水タンク１０から給水して製氷を行い貯氷する。冷凍室３は貯蔵物を冷凍保存し、扉３ａにより開閉される上室３ｃと扉３ｂにより開閉される下室３ｄとを有している。上室３ｃと製氷室５とは仕切壁１１を介して左右に並設される。上室３ｃ及び製氷室５と下室３ｄとは前部に設けた仕切壁８（図２参照）により仕切られ、仕切壁８の後方で互いに連通する。
【００１８】
冷凍室３の下方には断熱壁９（図２参照）を介して野菜室４が配される。野菜室４は扉４ａにより開閉され、冷蔵室１よりも高温で野菜や果物の冷蔵保存に適した温度に維持される。
【００１９】
図２は冷蔵庫１の正面断面図を示している。冷蔵室２の背後には冷気が流通する冷気通路２２が設けられる。冷凍室３及び製氷室５の背後にはダンパ２５を介して冷気通路２２に連通する冷気通路２１が設けられる。冷気通路２１の上部には送風ファン２４が配置される。冷気通路２１の下部は左右に拡幅した冷却器室２１ａが設けられ、冷却器室２１ａ内に冷却器２３が配置される。冷却器２３は圧縮機（不図示）に接続して冷凍サイクルの低温側に配され、冷気通路２１を流通する空気と熱交換して冷気を生成する。
【００２０】
冷気通路２２の上端には冷蔵室２内に臨む吐出口２ｃが開口する。冷気通路２２の下部はダンパ２５の直後で分岐し、チルド室１４に冷気を吐出する吐出口１４ａが設けられる。これにより、冷却器２３と熱交換した直後の冷気をチルド室１４に送出してチルド室１４が冷蔵室２の上部よりも低温に維持される。また、チルド室１４の背面には冷蔵室２内の冷気が流出する流出口２ｄが開口する。
【００２１】
冷却器室２１ａの上部には冷凍室３に臨む吐出口３ｅと吐出口３ｆとが上下方向に所定距離離れて開口する。冷却器室２１ａの下部には冷気を冷気通路２１に戻す戻り口３ｇが冷却器２３に面して開口する。野菜室４の上面には左右方向の一端に流入口４ｂが開口する。冷気通路２１の側方には流出口２ｄと流入口４ｂとを連結する連結通路２６が設けられる。また、野菜室４の上面の左右方向の他端には冷気通路２１の下端に開口する戻り口４ｃが形成されている。
【００２２】
図３は冷凍室３の下室３ｄの側面断面図を示している。冷凍室３内には下ケース３１及び上ケース３２から成る収納ケース３０が配される。下ケース３１は扉３ｂに固着され、扉３ｂと一体に出し入れされる。上ケース３２は側壁から外側に突出したレール部３２ａを有し、レール部３２ａが下ケース３１の側壁上に設置される。これにより、上ケース３２は下ケース３１の上面を覆い、下ケース３１と一体に出し入れされるとともに下ケース３１上を前後にスライド自在になっている。
【００２３】
下ケース３１は上ケース３２よりも奥行方向に長く形成され、上ケース３２の前方となる下ケース３１の上面の前部には所定量の隙間３１ｂが形成される。下ケース３１の背面には突出部３１ｃが突設され、突出部３１ｃに開口部３１ａを開口する。下方の吐出口３ｆは冷凍室３の背壁３ｈから開口部３１ａ内に突出して形成される。これにより、吐出口３ｆから吐出される冷気は下ケース３１内に流入し、前部の隙間３１ｂから流出する。
【００２４】
上ケース３２の背面には上方が開放された突出部３２ｃが突設される。上方の吐出口３ｅは冷凍室３の背壁３ｈから突出部３２ｃ内に突出して形成される。これにより、吐出口３ｅから吐出される冷気は上ケース３２内に流入して上ケース３２の前部から流出する。
【００２５】
冷凍室３の戻り口３ｇは下ケース３１の背壁に面して冷凍室３の下部に設けられる。図４、図５は冷凍室３の戻り口３ｇの詳細を示す斜視図及び側面断面図である。戻り口３ｇは正面から見て横方向が長い矩形に開口し、上下方向に延びる複数のリブ４５、４６により左右方向に仕切られる。また、リブ４５に橋架される複数の遮蔽部４３及びリブ４６に橋架される複数の仕切板４４によって上下方向に仕切られる。
【００２６】
上方のリブ４５は冷凍室３の背壁３ｈから突出して前方が下がるように傾斜する。これにより、戻り口３ｇの上部は傾斜面４１（第１傾斜面）から成る開口面が形成される。下方のリブ４６の上部は傾斜面４１の前端から後方が下がるように傾斜する。これにより、戻り口３ｇは傾斜面４１の下方に傾斜面４２（第２傾斜面）から成る開口面が形成される。戻り口３ｇに傾斜面４１、４２を設けることにより、戻り口３ｇの開口面積を大きくすることができる。また、リブ４６の下部は傾斜面４２の下端から鉛直に形成される。
【００２７】
傾斜面４１に配される遮蔽部４３は開口面よりも前方に延び、戻り口３ｇの上方を覆う。また、複数の遮蔽部４３を有し、上方の遮蔽部４３の前端が下方に隣接する遮蔽部４３の後端よりも前方に配される。これにより、戻り口３ｇは上方から見て遮蔽され、前方から見て開口する。
【００２８】
上記構成の冷蔵庫１において、圧縮機の駆動により冷凍サイクルが運転され、冷却器２３が低温に維持される。送風ファン２４の駆動によって冷気通路２１を流通する空気は冷却器２３と熱交換し、吐出口３ｅ、３ｆから冷凍室３に冷気が吐出される。吐出口３ｅから矢印Ａ１（図３参照）に示すように吐出された冷気は上ケース３２内に供給される。吐出口３ｆから矢印Ａ２（図３参照）に示すように吐出された冷気は開口部３１ａを介して下ケース３１内に供給される。上ケース３２及び下ケース３１に供給された冷気はケース内を冷却して前部から流出する。
【００２９】
上ケース３２及び下ケース３１から流出した冷気は下ケース３１の下方や側方を矢印Ａ３（図３参照）に示すように流通し、戻り口３ｇを介して冷却器２３に戻る。これにより、冷凍室３の下室３ｄに配された収納ケース３０内が冷却される。また、冷凍室３の下室３ｄの冷却によって冷熱が上室３ｃ及び製氷室５に輻射され、上室３ｃ及び製氷室５が冷却される。
【００３０】
ダンパ２５が開かれると、冷気通路２１を流通する冷気が冷気通路２２に流入する。冷気通路２２を流通する冷気は吐出口２ｃから冷蔵室２に吐出される。吐出口２ｃから吐出された冷気は冷蔵室２内を流通し、流出口２ｄから流出する。流出口２ｄから流出した冷気は連結通路２６を流通し、流入口４ｂを介して野菜室４に流入する。流入口４ｂから流入した冷気は野菜室４内を流通し、戻り口４ｃを介して冷却器２３に戻る。これにより、冷蔵室２及び野菜室４が冷却される。
【００３１】
本実施形態によると、収納ケース３０が配される冷凍室３の背面上部に吐出口３ｅ、３ｆを開口し、遮蔽部４３により上方が覆われる戻り口３ｇを冷凍室３の背面下部に形成した傾斜面４１（第１傾斜面）に開口したので、遮蔽部４３によって戻り口３ｇよりも上方の冷気の吸引が抑制される。これにより、吐出口３ｅ、３ｆから吐出して冷凍室３の背面と収納ケース３０との間を流下する冷気を少なくすることができる。従って、冷気のショートサーキットを低減し、冷蔵庫１の冷却効率を向上することができる。また、傾斜面４１に戻り口３ｇを形成して戻り口３ｇの開口面積を大きくし、冷気の流通抵抗を低減することができる。
【００３２】
尚、収納ケースを有する他の貯蔵室に同様の吐出口及び戻り口を設けてもよい。この時、収納ケースの上面を蓋により遮蔽して、吐出口から吐出された冷気が収納ケースの上方を流通してもよい。
【００３３】
また、戻り口３ｇが複数の遮蔽部４３により上下に仕切られて一の遮蔽部４３の前端が下方に隣接する遮蔽部４３の後端よりも前方に配されるので、上方から見て戻り口３ｇが露出しないため、冷凍室３の背面と収納ケース３０との間を流下する冷気を容易に少なくできる。
【００３４】
また、傾斜面４１の前端に連続して後方が下がる傾斜面４２（第２傾斜面）にも戻り口３ｇ開口するので、戻り口３ｇの開口面積をより大きくすることができる。
【００３５】
また、冷凍室３の背後に設けた冷却器２３の下部に面して戻り口３ｇが設けられるので、上下方向に狭く形成する必要のある戻り口３ｇの開口面積を大きくしてより大きな効果を奏することができる。加えて、傾斜面４１、４２によって冷却器２３に対して戻り口３ｇが前方に突出するため、冷却器２３の表面に成長する着霜による戻り口３ｇの閉塞を防止することができる。従って、冷気の流通抵抗をより低減することができる。
【００３６】
本実施形態において、遮蔽部４３を前方が下方に傾斜するように形成するとより望ましい。これにより、冷凍室３の背面と収納ケース３０との間を流下する冷気を更に減少させることができる。また、傾斜面４１の下端から鉛直に延びるリブ４６を設けてもよく、傾斜面４１を戻り口３ｇの下端まで延びて形成してもよい。
【産業上の利用可能性】
【００３７】
本発明によると、貯蔵物を収納する収納ケースを配した貯蔵室の背面に冷気の吐出口及び戻り口を開口する冷蔵庫に利用することができる。
【符号の説明】
【００３８】
１    冷蔵庫
２    冷蔵室
２ｃ  吐出口
２ｄ  流出口
３    冷凍室
３ｅ、３ｆ  吐出口
３ｇ  戻り口
４    野菜室
４ｂ  流入口
４ｃ  戻り口
５    製氷室
７、９  断熱壁
２１、２２  冷気通路
２３    冷却器
２４    送風ファン
２５    ダンパ
２６    連結通路
３０    収納ケース
３１    下ケース
３２    上ケース
４０    イオン送出ユニット
４１、４２  傾斜面
４３    遮蔽部
４４    仕切板
４５、４６  リブ
【図１】
2011064341.tif 000003
【図２】
2011064341.tif 000004
【図３】
2011064341.tif 000005
【図４】
2011064341.tif 000006
【図５】
2011064341.tif 000007